(57)【特許請求の範囲】
【請求項１】
撒き餌を収容する収容部と，前記収容部の一端に連結された柄部と，を備えた撒き餌杓であって：
前記収容部の少なくとも前記柄部側に穿孔された複数の通気孔と；
前記収容部の内側面において，前記通気孔の間に突出形成された複数の突起と；
を備えることを特徴とする，撒き餌杓。
【請求項２】
前記撒き餌杓は，さらに，
前記収容部の内側面の少なくとも前記柄部の他端側に，略線状に突出して延長形成され，前記収容された撒き餌の移動を案内する１または２以上の案内用突出部と；
前記案内用突出部の間に略線状に延長形成された１または２以上の切開溝と；を備えることを特徴とする，請求項１に記載の撒き餌杓。
【請求項３】
前記収容部の外縁部は，外側に反り返っていることを特徴とする，請求項１または２のいずれかに記載の撒き餌杓。
【請求項４】
前記収容部の先端部は，切り欠かれていることを特徴とする，請求項１，２または３のいずれかに記載の撒き餌杓。
【請求項５】
前記突起は，略半球状に突出形成されていることを特徴とする，請求項１，２，３または４のいずれかに記載の撒き餌杓。
略半球状
【請求項６】
前記突起は，複数の前記通気孔の間に，連続して略線状に延長形成されていることを特徴とする，請求項１，２，３または４のいずれかに記載の撒き餌杓。
【発明の詳細な説明】
【０００１】
【発明の属する技術分野】
本発明は，釣りなどで撒き餌を撒くために用いられる撒き餌杓に関する。
【０００２】
【従来の技術】
撒き餌杓は，例えば，釣りをする際に撒き餌を撒くための釣り具である。従来の撒き餌杓は，その一端には撒き餌を掬って収容するための収容部（掬い部）が設けられており，この収容部の内側面（内周面）が平坦面に形成されていた。このため，クリル（海老の一種）と集魚剤の混合物などで作られた通常の海釣り用の撒き餌を，投擲して撒く際には，撒き餌から流れ出す水分（クリルそのものには多量の水分が含まれている。）により，撒き餌が，収容部の内側面に張り付いて瞬間的に真空状態を形成してしまい，収容部から容易に剥離しないという問題があった。また，多量の撒き餌が収容部の内側面に残ってしまうため，所望の地点まで撒き餌を正確に投げることができないという問題もあった。
【０００３】
このような問題点を解決するために，収容部に通気孔が形成された撒き餌杓が提案されている（例えば，特許文献１参照。）。図４に示すように，かかる撒き餌杓１’は，投擲時に手で握るための取手部の他側には，撒き餌を掬って入れるための収容部３’が設けられている。この収容部３’の内側面には複数の通気孔５’と，線状に突出した複数の案内用突出部７’が形成されており，外側面側から空気を誘導して収容部３’の内側面に生ずる真空状態を解消することが可能である。
【０００４】
しかし，かかる収容部３’の内側面の先端側には，案内用突出部７’だけが形成されている。このため，かかる収容部３’の内側面の先端側には，空気が円滑に流れ込まないので，撒き餌が張り付いて残ってしまうという問題があった。また，通気孔５’の間の部分等に撒き餌が張り付いたり，固まったりして，通気孔５’を塞いでしまい，空気の流入を妨げるという問題もあった。
【０００５】
【特許文献１】
韓国特許登録第３５８９６７号公報
【発明が解決しようとする課題】
本発明は，従来の撒き餌杓が有する上記問題点に鑑みてなされたものであり，本発明の目的は，収容部に収容した撒き餌を撒くときに，撒き餌が収容部の内側面から容易かつ好適に離れて，残存しないようにするとともに，所望地点まで撒き餌を正確に撒くことの可能な，新規かつ改良された撒き餌杓及びその製造方法を提供することである。
【０００６】
【課題を解決するための手段】
上記課題を解決するため，本発明の第１の観点によれば，撒き餌を収容する収容部と，収容部の一端に連結された柄部と，を備えた撒き餌杓が提供される。この撒き餌杓は，収容部の少なくとも前記柄部側に穿孔された複数の通気孔と；収容部の内側面において，通気孔の間に突出形成された複数の突起と；を備えることを特徴とする。
【０００７】
かかる構成により，撒き餌が通気孔等の間に付着したり，付着した撒き餌が互いに固まって通気孔を塞ぐことを防止できる。このため，撒き餌の投擲時には，空気が収容部の外側面側から通気孔を介して内側面に円滑に流入し，撒き餌と収容部内側面との間の空気の流れを確保することができる。よって，投擲後に撒き餌が収容部内に残存することがない。
【０００８】
また，上記複数の通気孔は，所定間隔で略均等に設けられてもよい。また，上記複数の通気孔は，収容部の全体ではなく，柄部側から所定の範囲（例えば略２／３の範囲）に設けられてもよい。
【０００９】
また，上記複数の突起は，かかる所定間隔で設けられた通気孔の間に，それぞれ，所定間隔で略均等に設けられてもよい。また，上記複数の突起は，収容部の全体ではなく，上記通気孔が設けられた範囲に対応して，設けられてもよい。
【００１０】
また，上記撒き餌杓は，さらに，前記収容部の内側面の少なくとも前記柄部の他端側に，略線状に突出して延長形成され，収容された撒き餌の移動を案内する１または２以上の案内用突出部と；案内用突出部の間に略線状に延長形成された１または２以上の切開溝と；を備えるように構成してもよい。かかる構成により，収容部に収容されている撒き餌を投擲する際，当該撒き餌が案内用突出部に沿って案内されて移動し，好適に収容部外に離脱できる。このとき，切開溝により，撒き餌と収容部の先端の内側面との間に空気の流れが発生するので，撒き餌が残存して収容部の先端側の内側面に付着することを防止できる。
【００１１】
また，上記案内用突出部は，撒き餌杓の長手方向に沿った方向に延長形成されてもよく，また，複数の案内用突出部が，相互に略平行となるように配設されてもよい。これにより，撒き餌が，より好適に収容部外に離脱できる。
【００１２】
また，上記収容部の外縁部は，外側に反り返っているように構成してもよい。換言すると，上記収容部の上縁部は，外側に曲がった湾曲状に形成されてもよい。かかる構成により，収容部内に収容されている撒き餌が収容部の外部に容易に離脱することができる。
【００１３】
また，上記収容部の先端部は，切り欠かれているように構成してもよい。これにより，収容部の先端部は，撒き餌箱の底などに対して隙間なく接触できる。このため，収容部は，好適に撒き餌を掬って，自身の内部に収容できる。なお，収容部の先端部とは，上記柄部が連結された一端とは反対側の収容部の一端をいう。また，この切り欠きが略直線形状を有するように成形してもよい。
【００１４】
また，上記突起は，略半球状に突出形成されているように構成してもよい。さらに，この突起は，通気孔の間にそれぞれ設けられても良い。これにより，それぞれの通気孔間で，撒き餌が収容部内側面に付着するのを好適に防止できるとともに，略半球状であるので，投擲時に撒き餌が引っ掛かって残存することもない。
【００１５】
また，突起は，複数の通気孔の間に，連続して略線状に延長形成されているように構成してもよい。内周面上の凹凸部分が少なくなるので，撒き餌がかかる突起に引っ掛かって残存することがない。さらに，この突起が延長形成される方向は，撒き餌杓の長手方向であってもよい。これにより，撒き餌の投擲時に，略線状の突起が撒き餌の移動を案内するので，撒き餌は好適な方向（先端部に向かう方向）に移動できる。
【００１６】
また，上記課題を解決するための，本発明の別の観点によれば，柄部を介して取手の先端に付着した収容部の内側面には，一定間隔で複数の通気孔が穿孔され，収容部の先端部近辺の内側面には，複数の突線が平行に突設する餌杓文字において：上記収容部の各通気孔等の間には，撒き餌が通気孔等の間に付着したり通気孔で撒き餌が互いに固まるのを防止して空気の流れを円滑に維持する複数の突起が突設され；上記先端部近辺の各突線等の間には，撒き餌を投げる際，収容部の先端に空気の流れを発生させて撒き餌の残量が収容部の内側面の先端にくっつくのを防止する長い線状の複数の切開溝が穿孔され；上記収容部の上縁部は，収容部内に入っている撒き餌が収容部の外に容易に離れ落ちるように外側に曲がった湾曲状に形成され；収容部の先端は平面状になっていることを特徴とする突起付加餌杓文字が提供される。
【００１７】
また，上記収容部の突起は，円状に突設しているように構成してもよい。また，上記収容部の突起は，上記通気孔等の間に全体的に線状に延びて突設するように構成してもよい。
【００１８】
また，上記課題を解決するための，本発明の別の観点によれば，柄部を介して取手の先端に付着した収容部の内側面に一定間隔で複数の通気孔を穿孔し，収容部の先端部近辺の内側面には，複数の突線が平行に突設してなされる餌杓文字の製造方法において：上記収容部の各通気孔等の間に，撒き餌が通気孔等の間に付着したり通気孔で撒き餌が互いに固まるのを防止する複数の突起を突設する工程と；上記先端部近辺の各突線等の間に，撒き餌を投げる際に収容部の先端に空気の流れを発生させて撒き餌の残量が収容部の内側面の先端にくっつくのを防止する長い線状の複数の切開溝を穿孔する工程と；収容部内に入っている撒き餌が収容部の外に容易に離れ落ちるように，上記収容部の上縁部を外側に曲がった湾曲状に形成する工程と；収容部の先端を平面状で形成する工程と；を含むことを特徴とする突起付加餌杓文字の製造方法が提供される。
【００１９】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
（第１の実施の形態）
以下に，図１〜図３に基づいて，本発明の第１の実施形態にかかる撒き餌杓及びその製造方法について詳細に説明する。なお，図１は，本実施形態にかかる撒き餌杓１を示す部分切り欠き斜視図である。また，図２は，本実施形態にかかる撒き餌杓１を示す正面図である。また，図３Ａは，図２のＡ−Ａ’線での断面図であり，図３Ｂは，図２のＢ−Ｂ’線での断面図であり，図３Ｃは，図２のＣ−Ｃ’線での断面図である。
【００２０】
図１〜図３に示すように，本実施形態にかかる撒き餌杓１は，例えば，海釣りなどを行なう時に，例えば魚をおびき寄せるための撒き餌を入れて投擲するための釣り具などである。
【００２１】
この撒き餌杓１は，例えば，撒き餌を撒くため杓子であり，全体としては柄杓のような形状を有する。かかる撒き餌杓１は，例えば，概略的には，投擲時に手で握るための取手部２と，撒き餌箱等に保管されている撒き餌を掬って，その内部に当該撒き餌を収容する収容部３と，これらの取手部２と収容部３とを連結する柄部４と，から構成されている。この柄部４は，例えば，所定の長さを有する略棒状の部材であり，撒き餌杓１の柄として構成されている。
【００２２】
撒き餌を入れる収容部３は，例えば，内部がくりぬかれた略半楕円球形状（略半卵形状）などを有しており，全体としては例えば略お椀型である。この収容部３は，例えば，撒き餌を掬って入れる掬い部，即ち，掬った撒き餌を収容して保持する杓部として機能する。
【００２３】
かかる収容部３には，図２および図３Ｂに示すように，例えば，少なくとも柄部４側に所定間隔で複数の通気孔５が穿孔されている。具体的には，例えば，収容部３の下部（柄部４側の一端）から先端方向に向けて例えば約２／３地点に至るまでの範囲に，貫通孔である複数の通気孔５が，略均等に分布するように形成されている。この通気孔５は，例えば，空気が外部から収容部３の内側に円滑に流入するように誘導することができる。
【００２４】
また，例えば，これら各通気孔５等の間には，図２および図３Ｃに示すように，複数の突起６が内周面側に突設されている。この突起６は，撒き餌が，内側面上の通気孔５の間などに付着したり，固まったりして，通気孔５が閉塞してしまうことを防止できる。さらに，これに伴い，突起６は，通気孔５から流入した空気が収容部３の内側面に沿って円滑に誘導されるような状態を維持することができる。従って，投擲時に，撒き餌が，収容部３の内側面に張り付いて残存せず，完全に離れ落ちることが可能となる。
【００２５】
また，収容部３の内周面の先端側（柄部３が連結された側とは他端側）には，図２および図３Ａに示すように，例えば，複数（図では例えば３つ）の案内用突出部７が，収容部３の内側面に沿って，並列して突出形成されている。この案内用突出部７は，例えば，撒き餌杓１の長手方向に沿って，略線状に突出して延長形成された線状突出部である。この案内用突出部７は，例えば，例えば，収容部３の先端部から柄部４方向に向けて例えば略１／３の範囲にだけ形成されており，例えば，通気孔６が形成されている範囲には形成されていない。かかる案内用突出部７は，撒き餌の投擲時に，収容されている撒き餌を，例えば，収容部３の先端部方向に円滑に移動するように案内することができる。
【００２６】
さらに，かかる複数の突線７の間には，例えば，細くて長い線状の切開溝８が複数（図では例えば２つ）穿孔されている。この切開溝８は，例えば，スリット状の貫通孔などである。かかる切開溝８は，撒き餌の投擲時に，例えば，外周面側から空気を流入させて，収容部３の先端に空気の流れを発生させることができるので，撒き餌が収容部３の内側面の先端に付着して残存しないようにできる。
【００２７】
また，収容部３の外縁に位置する外縁部９は，外側に反り返っている。即ち，外縁部９は，例えば，図３に示すように，断面が外側に反るように湾曲した湾曲形状となるように形成されている。このため，収容部３内に詰め込まれている撒き餌と，収容部３内側面の外周部分との摩擦を低減できる。従って，撒き餌の投擲時に，撒き餌が収容部３の外側に容易に脱出することができる。
【００２８】
また，収容部３の先端部は，例えば略直線状に切り欠かれている。換言すると，収容部３の先端部分に位置する外縁部９である先端外縁部は，例えば，他の外縁部９が丸く湾曲した形状を有するのとは異なり，略直線形状となるように形成されている。このため，かかる略直線状の先端外縁部は，例えば，撒き餌を保管している撒き餌箱などの底面と，隙間なく接触できる。よって，例えば撒き餌箱に保管されている撒き餌を，容易かつ好適に掻き集めて，収容部３内に収容することができる。
【００２９】
本実施形態では，通気孔５は，例えば，収容部３に規則的に配列されている。即ち，通気孔は所定間隔（好ましくは，撒き餌杓１の長さ方向に例えば２〜４ｍｍ程度の間隔，幅方向で例えば２〜４ｍｍ程度の間隔）で均等に分布するように配設されている。また，通気孔５の直径は例えば０．５〜３．０ｍｍ程度である。また，収容部３の柄部４側で例えば全体の約２／３の範囲に，通気孔５が穿孔されているので，収容部３全体にかけて円滑に空気の流れを誘導できる。このため，撒き餌を撒くときに，従来のように撒き餌と収容部３の内側面との間に瞬間的に真空状態が発生することを防止できる。
【００３０】
このように，例えば，収容部３の柄部４側の一端から先端部に向かって２／３地点までの範囲にだけ通気孔５が穿孔された理由は，次の通りである。即ち，収容部３の先端部まですべて複数の通気孔５が穿孔されていると，撒き餌の投擲時，案内用突出部７に沿って収容部３の前方へ誘導される撒き餌の一部が，先端部に穿孔された通気孔５に詰まって，撒き餌全体の好適な移動を妨害するので，希望の地点まで十分な量の撒き餌を投擲できないからである。
【００３１】
また，本実施形態において，収容部３の突起６は，各通気孔５等の間の内側面上に例えばスポット的に散在させてもよく，このとき突起６は略半球状で突出形成してもよい。或いは，突起６は，例えば，各通気孔５等の列の間に共通して略線状に延長して突出形成されてもよい。また，これらの突起６の高さは，撒き餌の引っかかり具合および通気効果を考慮して，例えば０．５〜２．０ｍｍ程度が好ましい。
【００３２】
また，切開溝８は，例えば，収容部３の先端側に瞬間的な空気の流入を誘導して，撒き餌を希望の位置に投擲できるようにする。この，切開溝８は，その左右側の幅は例えば約０．５〜２．０ｍｍ程度で，長さは例えば約５．０〜１５ｍｍ程度に形成することが好ましい。
【００３３】
以上のように，本実施形態にかかる撒き餌杓１は，収容部３に撒き餌を入れて投擲する際，複数の通気孔５を通じて収容部３の内部に空気を流入させることができるので，瞬間的な真空状態が防止できる。さらに，通気孔５等の間に形成された複数の突起７により，撒き餌が収容部３の内側面に付着しないですべて離れ落ちるようにできる。
【００３４】
また，収容部３の先端部の内側面には，例えば，複数の案内用突出部７と切開溝８が先端側に並べて形成されている。このため，撒き餌を投げる際，収容部３の先端の内側面に形成された案内用突出部７に沿って，撒き餌が好適に誘導される。さらに，このとき，切開溝８を通じて空気が流入して円滑に誘導されるので，例えば，最後の方に脱出する撒き餌が収容部３の先端側に残らない。従って，使用者の望む目標地点まで正確な量の撒き餌を投擲できる。
【００３５】
加えて，収容部３の外縁部９を外側に曲がった湾曲状に形成することによって，内部に収容された撒き餌が収容部３の外部に容易に脱出することができる。また，収容部３の先端部の切り欠きにより，撒き餌箱等に保管されている撒き餌を，容易かつ好適に掻き込めることができる。
【００３６】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００３７】
例えば，上記実施形態では，撒き餌杓１は，例えば，海釣り用の釣り具として利用されていたが。本発明は，かかる例に限定されない。例えば，撒き餌杓１は，川釣り用または池釣り用，釣り堀用などで用いられてもよい。また，撒き餌杓１は，魚の養殖場などで養殖魚の飼料（餌）等を撒くための餌撒き具として用いられてもよく，また，例えば，魚以外の動物（例えば，各種の野生動物或いは家畜としての鳥類，ほ乳類など）に対して餌を撒くための餌撒き具として用いられてもよい。
【００３８】
また，上記実施形態では，突起６は，略半球形状を有し，それぞれの通気孔５相互の間に，独立して突出形成されていたが，本発明はかかる例に限定されない。例えば，突起６は，略線状に延長するように突出形成され，複数の通気孔５の間にまたがって連続して設けられてもよい。さらに，この線状の突起６の一部又は全部が，上記案内用突出部７と一体形成されて（例えば図４の案内用突出部７’のような形状）もよい。
【００３９】
【発明の効果】
以上説明したように，本発明によれば，撒き餌を撒くときに，撒き餌が収容部の内側面から容易かつ好適に離れて，収容部内側面上に残存しない。また，使用者は，かかる撒き餌杓を用いて，好適な量の撒き餌を所望地点まで正確に撒くことができる。
【図面の簡単な説明】
【図１】図１は，第１の実施形態にかかる撒き餌杓を示す部分切り欠き斜視図である。
【図２】図２は，第１の実施形態にかかる撒き餌杓を示す正面図である。
【図３】図３Ａは，図２のＡ−Ａ’線での断面図である。
図３Ｂは，図２のＢ−Ｂ’線での断面図である。
図３Ｃは，図２のＣ−Ｃ’線での断面図である。
【図４】図４は，従来の撒き餌杓を示す部分切り欠き斜視図である。
【符号の説明】
１  撒き餌杓
２  取手部
３  収容部
４  柄部
５  通気孔
６  突起
７  案内用突出部
８  切開溝
９  外縁部
【図１】
0003655287.tif 000002
【図２】
0003655287.tif 000003
【図３】
0003655287.tif 000004
【図４】
0003655287.tif 000005